(57)【要約】【課題】プロテクション用の帯域の競合を回避できるようにし、複数の障害の発生に対処可能な伝送システムを提供すること。【解決手段】ノードＢ〜Ｃ間に第１の伝送障害（１ｓｔ）が発生すると、ノードＢ〜Ａ〜Ｅ〜Ｆ〜Ｃ間の伝送帯域Ｗ１を使用してプロテクションが実施される。さらに、ノードＨ〜Ｅ〜Ｆ〜Ｇ〜Ｉ間の共有帯域値Ｗ１をＷ２に変更する。この状態から第２の伝送障害（２ｎｄ）がノードＨ〜Ｉ間に発生すると、ノードＨ〜Ｅ〜Ｆ〜Ｇ〜Ｉ間を経由するプロテクションは伝送帯域Ｗ２を使用して実施される。従って帯域の競合の発生を防止できる。【選択図】      図４
2007028193.tif 000002
【特許請求の範囲】
【請求項１】
複数のノードにより形成されるネットワーク上の各伝送パスに対し、shared protection方式により設けられる予備伝送パスを用いてプロテクションを行う伝送システムにおいて、
前記ネットワーク上の伝送帯域が前記プロテクションにより占有される際、この伝送帯域を共有する他の全ての予備伝送パスの伝送帯域の設定を一様に移動させることを特徴とする伝送システム。
【請求項２】
前記予備伝送パスが前記ネットワーク上の伝送帯域を使用する際、その伝送帯域を共有する他の予備伝送パスの存在を認識したノードは、前記伝送帯域の設定移動対象となるノードに対して「伝送帯域移動」情報を送付することを特徴とする請求項１に記載の伝送システム。
【請求項３】
前記予備伝送パスが共有するネットワーク上の伝送帯域の初期値を予め設定する設定手段を備えることを特徴とする請求項１に記載の伝送システム。
【請求項４】
伝送帯域設定の移動対象となる予備伝送パスの移動先として、他の予備伝送パスにより使用されておらず、かつ前記初期値の等しくない他の予備伝送パスにより共有されていない伝送帯域を検索することを特徴とする請求項３に記載の伝送システム。
【請求項５】
前記検索の結果、伝送帯域設定の移動対象となる予備伝送パスの移動先が見つからなかった場合に、移動先をその予備伝送パスの伝送帯域の初期値とすることを特徴とする請求項４に記載の伝送システム。
【請求項６】
前記ノードは、他のノードからの「伝送帯域移動」情報を受信した際、この「伝送帯域移動」情報で指示される移動先伝送帯域が「他の予備伝送パスにより使用されておらず、かつ前記初期値の等しくない他の予備伝送パスにより共有されていない伝送帯域」である条件に合致しない場合には、この条件に合致する伝送帯域を検索して前記「伝送帯域移動」情報を更新することを特徴とする請求項４に記載の伝送システム。
【請求項７】
前記予備伝送パスが前記ネットワーク上の伝送帯域を使用しようとする際、その伝送帯域を使用する他の予備伝送パスが既に存在する場合、その存在を認識したノードから「切り替え不可」通知を他のノードに送付して上記の新たな伝送帯域使用を中止させることを特徴とする請求項１に記載の伝送システム。
【発明の詳細な説明】
【技術分野】
【０００１】
この発明は基幹網などに適用される伝送システムに関する。特にこの発明は、全光ネットワークとして知られる光伝送システムと、この種のシステムにおける伝送パスの障害からの保護（プロテクション）技術に関する。
【背景技術】
【０００２】
近年の情報伝送システムでは複数のノードをリンクを介してメッシュ状に接続し、メッシュネットワークを形成することが多い。メッシュネットワークの伝送リソースを複数の通信パスに割り付けるには、ルーティングアルゴリズムによる最適ルート検索の手法が従来から適用されている。近年では、ノードにおいて光信号を電気信号に変換すること無く光のまま、トランスペアレントに伝送するネットワークが注目されている。この種のネットワークは全光ネットワークと称され、リンク上に複数の論理的な帯域を設けることができる。  
この種のネットワークにおいて、各伝送パスは、それぞれの伝送パスに対応して設定される予備伝送パスを用いて障害から保護される。各予備伝送パスが伝送パスごとに専用に割り付けられるDedicated Protection方式は、全ての予備伝送パスに対応する伝送帯域をネットワークの中に確保しなければならず、伝送帯域の使用効率のうえで困難がある。この方式に対し、各予備伝送パスが伝送帯域を共有するShared Protection方式は、帯域使用効率の点において、より優れている。この方式は（光）カットスルー方式の（波長）伝送により、障害リンクを対象とするプロテクションを行う場合、すなわち障害リンクを通るトラフィックに対し一括でプロテクションを行う場合にも同様に用いられる。  
下記特許文献１〜３に、伝送システムにおけるパスプロテクション方法が開示される。しかしながらこれらの文献はいずれも全光ネットワークを対象とするものではない。
【特許文献１】特開２００３−２５８８５１号公報
【特許文献２】特開２００３−２７３９０４号公報
【特許文献３】特開２００２−３４４４９１号公報
【発明の開示】
【発明が解決しようとする課題】
【０００３】
Shared Protection方式を採用するネットワークにおいては、ネットワーク上に複数の伝送障害が発生した際に、プロテクションに用いられる複数の予備伝送パスの間で伝送帯域が競合する可能性がある。この競合を回避できなければ複数の障害に対応するプロテクションを実施することができないので、何らかの対処が望まれている。  
この発明は上記事情によりなされたもので、その目的は、プロテクション用の帯域の競合を回避できるようにし、複数の障害の発生に対処可能な伝送システムを提供することにある。
【課題を解決するための手段】
【０００４】
上記目的を達成するためにこの発明の一態様によれば、複数のノードにより形成されるネットワーク上の各伝送パスに対し、shared protection方式により設けられる予備伝送パスを用いてプロテクションを行う伝送システムにおいて、前記ネットワーク上の伝送帯域が前記プロテクションにより占有される際、この伝送帯域を共有する他の全ての予備伝送パスの伝送帯域の設定を一様に移動させることを特徴とする伝送システムが提供される。このような構成によれば、ネットワーク上に或る伝送障害が発生しプロテクションを行う際に、その予備伝送パスが使用する伝送帯域を共有する他の全ての予備伝送パスに対して、共有する伝送帯域の設定が一様に移動される。移動先となる伝送帯域としては、その時点で未だ他の予備伝送パスにより使用されていない帯域が使用される。なお移動先となる伝送帯域が残されていない場合は、共有する伝送帯域の設定を初期値（一連の設定移動以前の状況）に戻す。もし、この状況で新たな伝送障害が発生し使用する伝送帯域が競合した場合は、新たな伝送障害に対するプロテクションを行わず、「切り替え不可」の結果とする。
【０００５】
また、ネットワーク上の全ての予備伝送パスは１つのShared Protectionの組に入っており、その組の中でのプロテクション実行可能／不可能の状況が障害の発生順序に依存する。オプションとして、特定の予備伝送パスにて別のShared Protectionの組を作り、その組の中でのプロテクション実行可能／不可能の状況を前記Shared Protectionの組での可能／不可能に依存しない様にするために、各予備伝送パスが共有する伝送帯域の初期値を選択可能とする。すなわちこの初期値の選択でShared Protectionの組分けをする。この選択を、プロテクション対象となる各伝送パスに対して、対応する予備伝送パスが共有する伝送帯域の初期値を示す属性を与えて表現する。さらに、予備伝送パスの移動先となる伝送帯域として、まだ他の予備伝送パスにより使用されておらず、かつ上記の初期値の等しくない他の予備伝送パスにより共有されていない帯域を使用するようにする。これにより、特定の伝送パスのプロテクション実行を、その他の伝送パスのプロテクション実行と独立させる事が出来る。
【発明の効果】
【０００６】
この発明によれば、プロテクション用の帯域の競合を回避できるようになり、複数の障害の発生に対処可能な伝送システムを提供することができる。
【発明を実施するための最良の形態】
【０００７】
［第１の実施形態］
図１はこの発明に係わる伝送システムの第１の実施形態を示すシステム図である。以下の説明では、Shared Protection方式によるプロテクション機構を用いる光伝送システムを対象とする。図１のシステムは複数のノードＡ〜Ｉを光リンクを介してメッシュ上に接続したもので、トラフィックを伝送する伝送パス（実線）に対して予備伝送パス（点線）を設けることができる。
【０００８】
図１において、ノードＢ〜Ｃ間、およびノードＨ〜Ｉ間の各々の伝送パスに対するプロテクションに着目する。ノードＢ〜Ｃ間においてはノードＢ〜Ａ〜Ｅ〜Ｆ〜Ｃ間の伝送帯域Ｗ１に設定される予備伝送パスを用いてプロテクションが実行される。ノードＨ〜Ｉ間においてはノードＨ〜Ｅ〜Ｆ〜Ｇ〜Ｉ間の伝送帯域Ｗ１に設定される予備伝送パスを用いてプロテクションが実行される。ここで、ノードＥ〜Ｆ間においては、２つの予備伝送パスにより伝送帯域Ｗ１が共有されることになる。
【０００９】
図２は既存のシステムにおいてShared Protectionを実施した場合のリソース競合の発生例を示す図である。まずノードＢ〜Ｃ間に第１の伝送障害（１ｓｔ）が発生すると、ノードＢ〜Ａ〜Ｅ〜Ｆ〜Ｃ間の伝送帯域Ｗ１を使用してプロテクションが実施される。この状況から第２の伝送障害（２ｎｄ）がノードＨ〜Ｉ間に発生すると、システムはノードＨ〜Ｅ〜Ｆ〜Ｇ〜Ｉ間の伝送帯域Ｗ１を使用してプロテクションを実行しようとする。しかし、障害１ｓｔによってノードＥ〜Ｆ間の伝送帯域Ｗ１が既に使用されており、競合状態となってノードＨ〜Ｉ間に対するプロテクションが実行出来ない。
【００１０】
図３は、図１のシステムにおいて本発明を適用した状態を示す図である。図３において、ノードＢ〜Ｃ間に第１の伝送障害（１ｓｔ）が発生すると、図２と同様にノードＢ〜Ａ〜Ｅ〜Ｆ〜Ｃ間の伝送帯域Ｗ１を使用してプロテクションが実施される。そうするとこの実施形態では、ノードＨ〜Ｅ〜Ｆ〜Ｇ〜Ｉ間の共有帯域値Ｗ１をＷ２に変更するようにする。この状態から、図４に示すように第２の伝送障害（２ｎｄ）がノードＨ〜Ｉ間に発生すると、ノードＨ〜Ｅ〜Ｆ〜Ｇ〜Ｉ間を経由するプロテクションは伝送帯域Ｗ２を使用して実施される。従って図２に示すような競合の発生を防止できる。
【００１１】
図５は、この実施形態において各関連ノード間で授受されるプロテクション制御情報を示すシーケンス図である。図５において第１の伝送障害（１ｓｔ）がノードＣにより検出されると、プロテクションの実行のためにノードＣ→Ｆ→Ｅ→Ａ→Ｂの順番で「切り替え要求」情報がシグナリングされる。その際、ノードＦは、ノードＦ〜Ｅの経路上でＷ１が共有されていることを認識する。よってノードＦは、このプロテクションの実行によりＷ１が使用される事を認め、Ｗ１を共有する他の予備伝送パス（図３ではノードＨ〜Ｅ〜Ｆ〜Ｇ〜Ｉ間のＷ１に設定される）に対して「伝送帯域移動［Ｗ２］」情報、すなわち共有する伝送帯域の設定をＷ２に移動させる要求をシグナリングする。なお、移動先となる伝送帯域は現状で共有されている伝送帯域の次から順に検索し決定するようにする。  
以上のようにこの実施形態によれば、ネットワーク内に複数の障害が生じた場合でも波長リソースの競合を生じることなくプロテクションを実施することができる。
【００１２】
［第２の実施形態］
図６は、この発明に係わる伝送システムの第１の実施形態を示すシステム図である。図６および図７〜９を参照して、第１の実施形態で述べた予備伝送パスの伝送帯域を移動させる設定変更が出来ない（移動先となる伝送帯域が残されていない）状況における動作につき説明する。
【００１３】
図６において、ノードＢ〜Ｃ間、Ｈ〜Ｉ間、Ａ〜Ｊ間の伝送パスに対するプロテクションに着目する。各伝送パスは、ノードＢ〜Ａ〜Ｅ〜Ｆ〜Ｃ間の伝送帯域Ｗ１、ノードＨ〜Ｅ〜Ｆ〜Ｇ〜Ｉ間の伝送帯域Ｗ１、ノードＡ〜Ｅ〜Ｈ〜Ｊ間の伝送帯域Ｗ１にそれぞれ設定される予備伝送パスを用いてプロテクションされる。ノードＥ〜Ｆ間、Ａ〜Ｅ間、Ｅ〜Ｈ間の伝送帯域Ｗ１では、２つの予備伝送パスが伝送帯域を共有している。このネットワークにおいて、予備伝送パスに対して予め用意される（使用可能な）伝送帯域はＷ１，Ｗ２であるとする。
【００１４】
図７に示すように、第１の伝送障害（１ｓｔ）がノードＢ〜Ｃ間に発生すると、ノードＢ〜Ａ〜Ｅ〜Ｆ〜Ｃ間の伝送帯域Ｗ１を使用してプロテクションが実施される。そうするとこの実施形態では、ノードＨ〜Ｅ〜Ｆ〜Ｇ〜Ｉ間の共有帯域値Ｗ１と、ノードＡ〜Ｅ〜Ｈ〜Ｊ間の共有帯域値Ｗ１とを、いずれもＷ２に変更するようにする。この状態から、図８に示すように第２の伝送障害（２ｎｄ）がノードＨ〜Ｉ間に発生すると、ノードＨ〜Ｅ〜Ｆ〜Ｇ〜Ｉ間を経由するプロテクションは伝送帯域Ｗ２を使用して実施される。これにより帯域の競合無しにプロテクションを実行することができる。
【００１５】
図９は、この実施形態において各関連ノード間で授受されるプロテクション制御情報を示すシーケンス図である。図９において、第１の伝送障害（１ｓｔ）を検出したノードＣからノードＣ→Ｆ→Ｅ→Ａ→Ｂの順番で「切り替え要求」情報をシグナリングする際、ノードＦはノードＦ〜Ｅの経路上でＷ１が共有されている事を認識し、ノードＥはノードＥ〜Ａの経路上でＷ１が共有されている事を認識する。
【００１６】
この認識の結果、ノードＦはノードＢ〜Ｃ間に対するプロテクション実行のためＷ１を使用する事を認め、Ｗ１を共有する他の予備伝送パス（図７ではノードＨ〜Ｅ〜Ｆ〜Ｇ〜Ｉ間のＷ１に設定されている）に対して「伝送帯域移動［Ｗ２］」情報をシグナリングする。ノードＥはノードＢ〜Ｃ間に対するプロテクション実行のためＷ１を使用する事を認め、Ｗ１を共有する他の予備伝送パス（図７ではノードＡ〜Ｅ〜Ｈ〜Ｊ間のＷ１に設定されている）に対して「伝送帯域移動［Ｗ２］」情報をシグナリングする。
【００１７】
この状態からノードＨ〜Ｉ間に第２の伝送障害（２ｎｄ）が生じると、ノードＩ→Ｇ→Ｆ→Ｅ→Ｈの順番で「切り替え要求」情報をシグナリングする際、ノードＥはノードＥ〜Ｈの経路上でＷ２が共有されている事を認識する。ノードＥはノードＨ〜Ｉ間に対するプロテクション実行のためＷ２を使用する事を認め、Ｗ２を共有する他の予備伝送パス（図８ではノードＡ〜Ｅ〜Ｈ〜Ｊ間のＷ２に設定されている）に対して「伝送帯域移動［Ｗ１］」情報をシグナリングする。この場合、図８に示すように、ノードＥは移動先となる伝送帯域として現状共有している伝送帯域（Ｗ２）の次から順に検索しようとするが、Ｗ２以降の伝送帯域がないので設定を初期値、すなわち一連の設定移動以前の状況であるＷ１に戻す。
【００１８】
この状態からさらに、図１０に示すようにノードＡ〜Ｊ間に第３の伝送障害（３ｒｄ）が生じたとする。そうすると図９において、第３の伝送障害（３ｒｄ）を検出したノードＪは、ノードＪ→Ｈ→Ｅ→Ａの順番で「切り替え要求」情報をシグナリングする。その際、ノードＥ〜Ａの経路上でＷ１が既に使用されているので競合となる事を、ノードＥは認識する。このことからノードＥは、ノードＡ〜Ｅ間に対するプロテクションは実行出来ないとして、「切り替え不可」通知をノードＨ経由でノードＪに返す。この結果、図１０においてはリンクＡ〜Ｊのプロテクションは実施されないことになる。
【００１９】
［第３の実施形態］
図７〜１０において、プロテクションの実行が可能であるか否かは伝送障害の発生順序に依存する。図７以降のノードＡ〜Ｊ間の伝送パスに対するプロテクションは、図９の様にノードＡ〜Ｊ間の伝送障害が３番目に発生した場合は実行出来ない。そこでこの実施形態では、障害が３番目に発生した障害に対するプロテクションを実行可能とする事を考慮した方式を説明する。なおこの実施形態において、予備伝送パスに対して使用可能な伝送帯域としてＷ１，およびＷ２が設けられているとする。
【００２０】
図１１の中括弧（｛｝）に示すように、ノードＢ〜Ｃ間、Ｈ〜Ｉ間、Ａ〜Ｊ間の各伝送パスに対して、対応する予備伝送パスの共有する伝送帯域の初期値を示す属性を与えることにより、Shared Protectionの組分けをする。通常であればＷ１を与えて１組のみとするが、ノードＡ〜Ｊ間の伝送パスに対してはＷ２を与え、別のもう１組のShared Protectionの組とする。
【００２１】
図１１において第１の伝送障害（１ｓｔ）がノードＢ〜Ｃ間に発生すると、図１２の様にノードＣ→Ｆ→Ｅ→Ａ→Ｂの順番で「切り替え要求」情報がシグナリングされる。その際、ノードＦはノードＦ〜Ｅの経路上でＷ１が共有されている事を認識する。ノードＦはノードＢ〜Ｃ間に対するプロテクション実行のためＷ１を使用する事を認め、Ｗ１を共有する他の予備伝送パス（図１１ではノードＨ〜Ｅ〜Ｆ〜Ｇ〜Ｉ間のＷ１に設定されている）に対して「伝送帯域移動［Ｗ２］」情報をシグナリングする。
【００２２】
ノードＥはシグナリングされた「伝送帯域移動［Ｗ２］」情報を受信した際、ノードＥ〜Ｈの経路上で既にＷ２がノードＡ〜Ｅ〜Ｈ〜Ｊ間の予備伝送パスにより共有されている事を認識する。ここで、この予備伝送パスは伝送帯域の初期値がＷ２であり、これは「伝送帯域移動［Ｗ２］」情報の対象となっている予備伝送パスの初期値Ｗ１と異なる。そこでノードＥは、「伝送帯域移動［Ｗ２］」情報をシグナリングしたノードＨ〜Ｅ〜Ｆ〜Ｇ〜Ｉ間の予備伝送パスに対して「伝送帯域移動［Ｗ１］」情報をシグナリングする。この場合、ノードＥは、移動先となる伝送帯域として現状共有しているＷ２の次から順に検索しようとするが、Ｗ２以降の伝送帯域がないため、設定を初期値則ちＷ１に戻す。
【００２３】
次に、図１３に示すように第２の伝送障害（２ｎｄ）がノードＨ〜Ｉ間に発生すると、図１２に示すようにノードＩ→Ｇ→Ｆ→Ｅ→Ｈの順番で「切り替え要求」情報がシグナリングされる。その際、ノードＦ〜Ｅの経路上でＷ１が既に使用されているため、ノードＦは競合となる事を認識する。よって、ノードＨ〜Ｉ間に対するプロテクションは実行出来ないとして「切り替え不可」通知がノードＧ経由でノードＩに返送される。
【００２４】
図１４に示すように第３の伝送障害（３ｒｄ）がノードＡ〜Ｊ間に発生すると、図１２に示すように例えばノードＪ→Ｈ→Ｅ→Ａの順番で「切り替え要求」情報がシグナリングされる。その際、ノードＡ，Ｅ，Ｈ，Ｊにおいて経路上に共有されている伝送帯域がないと認識され、プロテクションがそのまま実行される。  
以上のようにこの実施形態によれば、ネットワーク内に複数の障害が生じた場合でも波長リソースの競合を生じることなくプロテクションを実施することができる。
【００２５】
［第４の実施形態］
この実施形態では、図１１のトポロジのネットワークにおいて、予備伝送パスに対して使用可能な伝送帯域としてＷ１，Ｗ２，Ｗ３が設けられている場合の動作につき説明する。図１５において第１の伝送障害（１ｓｔ）がノードＢ〜Ｃ間に発生すると、図１６に示すようにノードＣ→Ｆ→Ｅ→Ａ→Ｂの順番で「切り替え要求」情報がシグナリングされ、その際、ノードＦはノードＦ〜Ｅの経路上でＷ１が共有されている事を認識する。ノードＦはノードＢ〜Ｃ間に対するプロテクション実行のためＷ１を使用する事を認め、Ｗ１を共有する他の予備伝送パス（図１５ではノードＨ〜Ｅ〜Ｆ〜Ｇ〜Ｉ間のＷ１に設定されている）に対して「伝送帯域移動［Ｗ２］」情報をシグナリングする。
【００２６】
ノードＥはシグナリングされた「伝送帯域移動［Ｗ２］」情報を受信した際、ノードＥ〜Ｈの経路上で既にＷ２がノードＡ〜Ｅ〜Ｈ〜Ｊ間の予備伝送パスにより共有されている事を認識する。しかも、この予備伝送パスは伝送帯域の初期値がＷ２であり、「伝送帯域移動［Ｗ２］」情報の対象となっている予備伝送パスの初期値Ｗ１と異なる。そこでノードＥは、「伝送帯域移動［Ｗ２］」情報をシグナリングしたノードＨ〜Ｅ〜Ｆ〜Ｇ〜Ｉ間の予備伝送パスに対して「伝送帯域移動［Ｗ３］」情報をシグナリングする。この場合ノードＥは、移動先となる伝送帯域として現状共有しているＷ２の次から順に検索しＷ３を見つける。
【００２７】
この状態から図１７に示すように、第２の伝送障害（２ｎｄ）がノードＨ〜Ｉ間に発生すると、図１６に示すようにノードＩ→Ｇ→Ｆ→Ｅ→Ｈの順番で「切り替え要求」情報がシグナリングされる。その際、ノードＨ，Ｅ，Ｆ，Ｇ，Ｉにおいて経路上に共有されている伝送帯域がないと認識され、プロテクションがそのまま実行される。
【００２８】
さらに、第３の伝送障害（３ｒｄ）がノードＡ〜Ｊ間に発生すると、図１６に示すようにノードＪ→Ｈ→Ｅ→Ａの順番で「切り替え要求」情報をシグナリングされる。その際、ノードＡ，Ｅ，Ｈ，Ｊにおいて経路上に共有されている伝送帯域がないと認識されることにより、プロテクションがそのまま実行される。このようにして、いずれの障害に対してもトラフィック競合を生じることなく、プロテクションが実行される。
【００２９】
以上のようにこの実施形態によれば、ネットワーク内に複数の障害が生じた場合でも波長リソースの競合を生じることなくプロテクションを実施することができる。このように第１〜第４の実施形態によれば、プロテクション用の帯域の競合を回避できるようになり、複数の障害の発生に対処可能な伝送システムを提供することが可能となる。
【００３０】
なお、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３１】
【図１】この発明に係わる伝送システムの第１の実施形態を示すシステム図。
【図２】既存のシステムにおいてShared Protectionを実施した場合のリソース競合の発生例を示す図。
【図３】図１のシステムにおいて本発明を適用した状態を示す図。
【図４】図３の状態から帯域の競合が防止された状態を示す図。
【図５】この発明の第１の実施形態において各関連ノード間で授受されるプロテクション制御情報を示すシーケンス図。
【図６】この発明に係わる伝送システムの第２の実施形態を示すシステム図。
【図７】図６のシステムにおいて本発明を適用した状態を示す図。
【図８】図７の状態から帯域の競合が防止された状態を示す図。
【図９】この発明の第２の実施形態において各関連ノード間で授受されるプロテクション制御情報を示すシーケンス図。
【図１０】図７の状態から第３の伝送障害（３ｒｄ）が生じた状態を示す図。
【図１１】この発明に係わる伝送システムの第３の実施形態を示すシステム図。
【図１２】この発明の第３の実施形態において各関連ノード間で授受されるプロテクション制御情報を示すシーケンス図。
【図１３】図１１の状態から第２の伝送障害（２ｎｄ）が生じた状態を示す図。
【図１４】図１３の状態から第３の伝送障害（３ｒｄ）が生じた状態を示す図。
【図１５】この発明に係わる伝送システムの第４の実施形態を示すシステム図。
【図１６】この発明の第４の実施形態において各関連ノード間で授受されるプロテクション制御情報を示すシーケンス図。
【図１７】この発明の第４の実施形態において競合の発生無くプロテクションが実施された状態を示す図。
【符号の説明】
【００３２】
Ａ〜Ｊ…ノード
【図１】
2007028193.tif 000003
【図２】
2007028193.tif 000004
【図３】
2007028193.tif 000005
【図４】
2007028193.tif 000006
【図５】
2007028193.tif 000007
【図６】
2007028193.tif 000008
【図７】
2007028193.tif 000009
【図８】
2007028193.tif 000010
【図９】
2007028193.tif 000011
【図１０】
2007028193.tif 000012
【図１１】
2007028193.tif 000013
【図１２】
2007028193.tif 000014
【図１３】
2007028193.tif 000015
【図１４】
2007028193.tif 000016
【図１５】
2007028193.tif 000017
【図１６】
2007028193.tif 000018
【図１７】
2007028193.tif 000019